(57)【要約】【課題】受信状態における消費電力を効果的に低減することができる受信装置等を提供する。【解決手段】ＲＦチューナ１、デジタル復調部２、誤り訂正部３、多重分離部４および復号部５を備える受信装置である。ＲＦチューナ１、デジタル復調部２、誤り訂正部３、多重分離部４および復号部５の各部における信号処理の可否を制御部７において判断し、信号処理ができないと判断された場合には該当する部分またはその部分よりも後段の動作を停止するようにスイッチＳＷ１〜ＳＷ１０を制御する。【選択図】　　　図１
2004147119.tif 000002
【特許請求の範囲】
【請求項１】
放送を受信する受信装置において、
受信された信号を処理する信号処理部と、
前記信号処理部における信号処理の可否を判断する判断手段と、
前記判断手段において前記信号処理ができないと判断された場合には前記信号処理部または前記信号処理部よりも後段の動作を停止するように制御する制御手段と、
を備えることを特徴とする受信装置。
【請求項２】
前記制御手段は、前記信号処理部または前記後段への電源供給を断つ電源供給遮断手段を備え、
前記制御手段は、前記電源供給遮断手段により電源供給を断つことで前記信号処理部または前記後段の動作を停止させることを特徴とする請求項１に記載の受信装置。
【請求項３】
前記受信装置は、判断基準を記憶する記憶手段を備え、
前記判断手段は、前記記憶手段に記憶された前記判断基準に基づいて前記信号処理の可否を判断することを特徴とする請求項１または２に記載の受信装置。
【請求項４】
前記受信装置は、受信された信号に含まれる情報に基づいて前記判断基準を変更する基準変更手段を備えることを特徴とする請求項３に記載の受信装置。
【請求項５】
前記信号処理部は、アンテナで受けた信号を増幅するチューナであることを特徴とする請求項１〜４のいずれか１項に記載の受信装置。
【請求項６】
前記信号処理部は、受信された信号を復調することで情報を抽出する復調部であることを特徴とする請求項１〜４のいずれか１項に記載の受信装置。
【請求項７】
前記信号処理部は、符号誤りを取り除くための誤り訂正部であることを特徴とする請求項１〜４のいずれか１項に記載の受信装置。
【請求項８】
前記信号処理部は、多重されて送信された情報を分離する多重分離部であることを特徴とする請求項１〜４のいずれか１項に記載の受信装置。
【請求項９】
前記信号処理部は、情報源符号化された情報を元の情報に戻すための復号部であることを特徴とする請求項１〜４のいずれか１項に記載の受信装置。
【請求項１０】
前記制御手段は、ユーザによる指示に応じて不必要な動作を停止するように制御することを特徴とする請求項１〜９のいずれか１項に記載の受信装置。
【請求項１１】
前記判断手段は、受信電力に基づいて信号処理の可否を判断することを特徴とする請求項１〜１０のいずれか１項に記載の受信装置。
【請求項１２】
前記判断手段は、復調に際して同期が取れるか否かに基づいて信号処理の可否を判断することを特徴とする請求項１〜１０のいずれか１項に記載の受信装置。
【請求項１３】
前記判断手段は、誤り訂正時のビット誤り率に基づいて信号処理の可否を判断することを特徴とする請求項１〜１０のいずれか１項に記載の受信装置。
【請求項１４】
前記判断手段は、復号時のビット誤り率に基づいて信号処理の可否を判断することを特徴とする請求項１〜１０のいずれか１項に記載の受信装置。
【請求項１５】
放送を受信する受信方法において、
受信された信号を処理する信号処理手順と、
前記信号処理手順における信号処理の可否を判断する判断手順と、
前記判断手順において前記信号処理ができないと判断された場合には前記信号処理手順により信号の処理を実行する信号処理部よりも後段の動作を停止するように制御する制御手順と、
を備えることを特徴とする受信方法。
【発明の詳細な説明】
【０００１】
【発明の属する技術分野】
本発明は、放送を受信するための受信装置および受信方法に関する。
【０００２】
【従来の技術】
放送を受信する受信装置において、消費電力を低減することができるものとして、待機状態における消費電力を低減させるデジタル放送受信装置が知られている（例えば、特許文献１参照。）。この受信装置は、受信状態および非受信状態を繰り返して間欠的に放送データを受信する受信装置に関するものである。
【０００３】
【特許文献１】
特開２０００−２１７０８７号公報
【０００４】
【発明が解決しようとする課題】
しかし、例えば、受信装置を車両に搭載する場合等には、消費電力を極力抑制することが要望されており、このためには、間欠的でなく連続的に放送を受信する場合を含めて、受信状態（所定の放送を受信しようとする状態を含む。）における消費電力を低減する必要がある。
【０００５】
本発明は、受信状態における消費電力を効果的に低減することができる受信装置等を提供することを目的とする。
【０００６】
【課題を解決するための手段】
請求項１に記載の発明は、放送を受信する受信装置において、受信された信号を処理する信号処理部と、前記信号処理部における信号処理の可否を判断する判断手段と、前記判断手段において前記信号処理ができないと判断された場合には前記信号処理部または前記信号処理部よりも後段の動作を停止するように制御する制御手段と、を備えることを特徴とする。
【０００７】
請求項１５に記載の発明は、放送を受信する受信方法において、受信された信号を処理する信号処理手順と、前記信号処理手順における信号処理の可否を判断する判断手順と、前記判断手順において前記信号処理ができないと判断された場合には前記信号処理手順により信号の処理を実行する信号処理部よりも後段の動作を停止するように制御する制御手順と、を備えることを特徴とする。ここで、判断手順は、受信電力に基づいて、復調に際して同期が取れるか否かに基づいて、誤り訂正時のビット誤り率に基づいて、あるいは復号時のビット誤り率に基づいて、それぞれ信号処理の可否を判断してもよい。
【０００８】
【発明の実施の形態】
以下、図１および図２を参照して、本発明による受信装置の一実施形態について説明する。
【０００９】
図１は本実施形態の受信装置の構成を示すブロック図である。図１に示すように、本実施形態の受信装置１００は、アンテナ１Ａで受信された信号を受けるＲＦチューナ１と、ＲＦチューナ１の出力信号を受けるデジタル復調部２と、デジタル復調部２の出力信号の誤りを訂正する誤り訂正部３と、誤り訂正部３の出力信号を多重分離する多重分離部４と、多重分離部４から出力されるデジタル信号を復号する復号部５とを備える。復号部５は映像信号、音声信号および文字データ等の各種データをそれぞれ復号する映像復号部５ａ、音声復号部５ｂおよびデータ復号部５ｃを具備する。また、映像復号部５ａの出力信号はＴＶモニタ６ａに、音声復号部５ｂの出力信号はスピーカシステム６ｂに、データ復号部５ｃの出力信号は液晶パネル６ｃに、それぞれ入力される。ＴＶモニタ６ａ、スピーカシステム６ｂ、および液晶パネル６ｃは、それぞれ、映像、音声、および各種データの出力デバイスとして機能する。
【００１０】
ＲＦチューナ１は、アンテナ１Ａで受けた微弱な信号を復調のために必要なレベルまで増幅するとともに、デジタル復調部２に入力できる信号に変換する機能を有する。デジタル復調部２は、搬送波の同期やシンボルのタイミングをとり、搬送波の振幅や位相に織り込まれた情報を取り出す機能を有する。誤り訂正部３は、伝送路で加わった雑音などの影響により発生した符号誤りを、送信側で誤り訂正符号を付加することで取り除き、元の信号を復元する機能を有する。多重分離部４は、多重化装置によって１つのパケットに束ねられて送られてきた情報を、元の映像や音声の信号列に戻す機能を有する。上記のように、復号部５は、情報源符号化された情報を元の情報に戻す操作である復号を実行する。
【００１１】
また、受信装置１００は、装置各部において得られる情報および装置の外部から入力される情報に基づいて受信装置１００各部の動作／非動作を切り替える制御部７と、制御部７での制御処理に必要な情報を格納するメモリ８とを備える。
【００１２】
さらに、図１に示すように、受信装置１００はスイッチＳＷ１〜ＳＷ１０を備え、スイッチＳＷ１〜ＳＷ１０は、それぞれＲＦチューナ１、デジタル復調部２、誤り訂正部３、多重分離部４、映像復号部５ａ、音声復号部５ｂ、データ復号部５ｃ、ＴＶモニタ６ａ、スピーカシステム６ｂおよび液晶パネル６ｃの電源ラインに挿入されている。制御部７は装置各部からの情報あるいは装置外部からの情報に応じて、スイッチＳＷ１〜ＳＷ１０のオン／オフを切り替えることにより、受信装置１００における不必要な動作をさせないように制御する。スイッチＳＷ１〜ＳＷ１０の各スイッチをオフすることにより、対応する部分ないし回路への電源供給を絶ち、その部分ないし回路の動作を停止させることができる。
【００１３】
次に、図２を参照して、本実施形態の受信装置１００の動作について説明する。図２は受信装置１００の動作を示すフローチャートであり、フローチャートの各ステップにおける処理は制御部７の制御に基づいて実行される。
【００１４】
図２の処理では、所定の放送波の受信を開始する（ステップＳ１）。このとき、すべてのスイッチＳＷ１〜ＳＷ１０をいずれもオンの状態に設定する。次に、ＲＦチューナ１の出力信号のレベル、すなわち受信電力と、メモリ８に格納された設定値とを比較し、受信電力が設定値よりも小さいか否か判断する（ステップＳ２）。ここでの設定値は、受信可能な最低限の受信電力の値とされている。また、受信電力は、ＲＦチューナ１からの情報として制御部７に送出され、制御部７においてメモリ８に格納された設定値と比較される。
【００１５】
ステップＳ２における判断が肯定されればスイッチＳＷ２〜ＳＷ１０をオフして（ステップＳ３）、ステップＳ１６へ進む。ステップＳ２の判断が肯定される場合とは、受信電力が受信可能な最低限の値よりも小さい場合であるため、受信対象となる放送波の受信は不可能である。したがって、この場合にはスイッチＳＷ２〜ＳＷ１０をオフすることで、ＲＦチューナ１を除く装置１００各部の動作を停止させ、消費電力を低減するようにしている。
【００１６】
一方、ステップＳ２における判断が否定された場合には、受信電力の値としては受信対象となる放送波を受信できる可能性があることを示しているので、この場合にはスイッチＳＷ２〜ＳＷ１０をオフすることなく、ステップＳ４へ進む。
【００１７】
なお、このような受信電力として、シグナルメータの受信感度に相当する数値を利用してもよい。また、受信した放送波をデジタル処理した後の結果に基づいて、受信電力の値を獲得してもよい。
【００１８】
ステップＳ４では、デジタル復調部２において同期が取れるか否かを判断する。この処理は、デジタル復調部２からの情報に基づいて、制御部７において実行される。ステップＳ４の判断が肯定されれば、スイッチＳＷ３〜ＳＷ１０をオフして（ステップＳ５）、ステップＳ１６へ進む。ステップＳ４の判断が肯定される場合とは、デジタル復調部２において同期が取れず、デジタル復調部２およびデジタル復調部２よりも後段の正常な動作が望めない場合である。このため、この場合には、スイッチＳＷ３〜ＳＷ１０をオフしてデジタル復調部２およびデジタル復調部２よりも後段の動作を停止させ、消費電力を低減するようにしている。
【００１９】
ステップＳ４における判断が否定された場合は、デジタル復調部２における同期が確保され、正常な動作を実行できる可能性があることを示しているので、この場合にはスイッチＳＷ３〜ＳＷ１０をオフすることなく、ステップＳ６へ進む。
【００２０】
ステップＳ６では、受信信号の変調情報に基づいて、メモリ８に格納された設定条件（判断基準）を変更する。変調情報には、受信対象である放送波の変調方式やキャリア間隔、あるいはガードインターバルが含まれる。また、受信対象となる放送波に付加された誤り訂正符号やパイロット信号等を変調情報として用いることもできる。
【００２１】
変調方式としては、例えば、ＱＰＳＫ（Ｑｕａｄｒａｔｕｒｅ　Ｐｈａｓｅ　Ｓｈｉｆｔ　Ｋｅｙｉｎｇ）、１６ＱＡＭ（Ｑｕａｄｒａｔｕｒｅ　Ａｍｐｌｉｔｕｄｅ　Ｍｏｄｕｌａｔｉｏｎ）、６４ＱＡＭなどを例示することができる。
【００２２】
変調方式に応じて変更する設定条件として、ステップＳ２における判断の対象となる最低限の受信電力を例示することができる。例えば、受信対象である放送波の変調方式が異なれば、受信に必要な受信電力が異なるため、変調方式に応じて最低限の受信電力を切り替えるように設定条件を変更する。このような設定条件の変更により、上記ステップＳ２における判断をより合理的なものとすることができる。
【００２３】
設定条件には、後述する誤り訂正部３のビット誤り率（ステップＳ７）や復号部５のビット誤り率（ステップＳ１０）が含まれてもよい。これらの設定条件を変調情報に基づいて変更することにより、ステップＳ７あるいはステップＳ１０における判断をより合理的なものとすることができる。
【００２４】
次に、誤り訂正部３のビット誤り率が設定値よりも高いか否か判断する（ステップＳ７）。ここでは、誤り訂正部３から送出されたビット誤り率とメモリ８に格納された設定値とを比較する処理が、制御部７において実行される。この判断が肯定された場合には、誤り訂正部３において正常に誤りが訂正できず、多重分離部４およびその後段の正常な動作が望めないことを示している。このため、この場合にはスイッチＳＷ４〜ＳＷ１０をオフすることで、多重分離部４および多重分離部４よりも後段の動作を停止し、消費電力を低減している（ステップＳ８）。その後、ステップＳ１６へ進む。
【００２５】
ステップＳ７における判断が否定された場合には、スイッチＳＷ４〜ＳＷ１０をオフすることなく、多重されていない情報を検出するとともに、不必要な回路の動作を停止させるために、対応するスイッチをオフする（ステップＳ９）。このステップＳ９の処理では、多重分離部４からの情報に基づいて、映像信号、音声信号および各種データの有無をそれぞれ判断する。そして、受信信号に多重されていない信号あるいはデータの再生、表示に必要なスイッチをオフする。例えば、受信信号に映像信号が多重されていない場合には、スイッチＳＷ５およびスイッチＳＷ８をオフすることにより、映像復号部５ａおよびＴＶモニタ６ａの動作を停止させる。受信信号に音声信号が多重されていない場合には、スイッチＳＷ６およびスイッチＳＷ９をオフすることにより、音声復号部５ｂおよびスピーカシステム６ｂの動作を停止させる。各種データが多重されていない場合には、スイッチＳＷ７およびスイッチＳＷ１０をオフすることにより、データ復号部５ｃおよび液晶パネル６ｃの動作を停止させる。このように、本実施形態では、多重されていない信号あるいはデータの再生、表示に必要な回路等の動作を停止させることで、無駄に電力が消費されることを防止している。
【００２６】
次に、復号部５のビット誤り率が設定値よりも高いか否か判断する（ステップＳ１０）。ここでは、復号部５の映像復号部５ａ、音声復号部５ｂおよびデータ復号部５ｃからそれぞれ送出されたビット誤り率とメモリ８に格納された設定値とを比較する処理が、制御部７において実行される。この判断が肯定された場合には、復号部５における正常な復号が実行できないことを示しているので、この場合には対応するスイッチをオフすることで、消費電力を低減している（ステップＳ１１）。例えば、映像復号部５ａから送出されたビット誤り率が設定値よりも高い場合には、スイッチＳＷ８をオフしてＴＶモニタ６ａの動作を停止させる。音声復号部５ｂから送出されたビット誤り率が設定値よりも高い場合には、スイッチＳＷ９をオフしてスピーカシステム６ｂの動作を停止させる。また、データ復号部５ｃから送出されたビット誤り率が設定値よりも高い場合には、スイッチＳＷ１０をオフして液晶パネル６ｃの動作を停止させる。
【００２７】
ステップＳ１０における判断が否定された場合には、対応するスイッチをオフすることなく出力デバイスのいずれかの電源がオフされているか否か判断する（ステップＳ１２）。この判断が肯定されれば対応するスイッチをオフして（ステップＳ１３）、ステップＳ１４へ進む。上記ステップＳ１２において判断の対象となる出力デバイスの電源のオン／オフは、ユーザによる操作に従う。上記ステップＳ１３では、ユーザの操作により電源がオフされた出力デバイスに対応するスイッチをオフする。すなわち、ＴＶモニタ６ａの電源がオフされていればスイッチＳＷ８を、スピーカシステム６ｂの電源がオフされていればスイッチＳＷ９を、液晶パネル６ｃの電源がオフされていればスイッチＳＷ１０を、それぞれオフする。
【００２８】
次に、ステップＳ１４ではすべての出力デバイス、すなわちＴＶモニタ６ａ、スピーカシステム６ｂ、および液晶パネル６ｃの電源がすべてオフされているか否か判断し、判断が肯定されればステップＳ３へ進み、判断が否定されればステップＳ１６へ進む。ここで、すべての出力デバイスの電源がオフされている場合には、受信装置１００を動作させることが無駄となる。このため、この場合にはスイッチＳＷ２〜ＳＷ１０をオフしてＲＦチューナ１よりも後段の動作をすべて停止させるように制御している（ステップＳ３）。
【００２９】
一方、ステップＳ１２の判断が否定された場合には、受信装置１００の外部から獲得された情報に基づいてメモリ８に格納された設定条件を変更して（ステップＳ１５）、ステップＳ１６へ進む。ステップＳ１５において受信装置１００の外部から獲得された情報として、車速センサーから出力される車速情報やサイドブレーキが掛けられている間、出力されるサイドブレーキ信号、あるいはＧＰＳにより得られる受信場所を示す情報等が例示される。例えば、車速が大きければ受信位置が短時間で大きく移動するので、受信状態が不安定となりやすく、サイドブレーキが掛けられて停車している際には受信状態が安定する。また、受信場所が送信塔の近くであれば、受信電力はおおむね大きくなり、受信場所が都心部であればマルチパスが多く発生しやすく、受信環境が悪化する。したがって、車速や受信場所に応じて設定条件を変更することにより、受信装置１００各部における動作／非動作の選択をより合理的なものとすることができる。
【００３０】
ステップＳ１６では所定時間待機する。次に、初期設定を行い（ステップＳ１７）、ステップＳ２へ進む。初期設定ではスイッチＳＷ１〜ＳＷ１０をオンすることで、受信装置１００の全体を動作させる。
【００３１】
このように、図２に示す処理では、事実上、一定時間ごとにスイッチＳＷ１〜ＳＷ１０のオン／オフを設定するようにしている。このため、受信装置１００が車両に搭載されている場合のように、刻々と受信状況が変化する場合においても、必要な部分ないし回路のみを動作させることにより、消費電力を効果的に低減することが可能となる。
【００３２】
以上説明したように、本実施形態では、受信装置１００各部の動作状態を検出してその動作状態から信号処理の可否を判断し、その判断結果に応じてスイッチＳＷ１〜ＳＷ１０をオフすることにより、動作状態が検出された部分またはその部分よりも後段の動作を停止するように制御している。このため、無駄な動作を合理的に排除でき、装置全体としての消費電力を効率的に低減することができる。また、本実施形態では、車速あるいは受信場所等、装置外部からの情報をスイッチＳＷ１〜ＳＷ１０のオン／オフ制御に反映させているので、常に、受信環境に適合した動作状態を得ることができる。
【００３３】
なお、以上の説明においてはデジタル放送を受信する受信装置を例に説明したが、ＡＭラジオ、ＦＭラジオ、テレビジョン等のアナログ放送を受信する受信装置に適用することもでき、またデジタル用のものと混在することもできる。アナログ放送の場合、放送方式や受信電力の他、ステレオ、モノラル、二カ国語等の音声モードに基づいて、メモリ８に格納された設定条件を変更してもよい。
【００３４】
また、本発明による受信装置を、いわゆるソフトウェア受信装置に適用することもできる。ソフトウェア受信装置は、動作処理をプログラムによって規定するように構成された受信装置である。本発明による受信装置をソフトウェア受信装置に適用する場合には、所定部分ないし回路における信号処理の可否を判断する処理をプログラムにより規定してもよい。あるいは信号処理ができないと判断された場合に、該当する部分ないし回路あるいはその後段の動作を停止する処理をプログラムによって規定してもよい。
【００３５】
さらに、プログラムの内容を受信装置からサーバに向けて送出された情報に応じて更新するようにしてもよい。この場合、受信装置から送出された情報、例えば、現在の受信位置やユーザの指示等をサーバに向けて送信し、これらの情報に基づいて、プログラムの変更指示や新たなプログラム自体をサーバから受信装置に向けて送信することができる。この場合には、種々のデータやプログラムを、記憶容量や処理速度等の都合に応じてサーバと受信装置とに分担して記憶することができる。このため、受信装置の小型化およびきめ細かな処理の実現の両立を図ることができる。
【００３６】
上記実施形態および特許請求の範囲の記載に関し、ＲＦチューナ１は「信号処理部」に、デジタル復調部２は「信号処理部」に、誤り訂正部３は「信号処理部」に、多重分離部４は「信号処理部」に、復号部５は「信号処理部」に、制御部７は「制御手段」および「基準変更手段」に、メモリ８は「記憶手段」に、スイッチＳＷ１〜ＳＷ１０は「電源供給遮断手段」に、それぞれ対応する。
【図面の簡単な説明】
【図１】本実施形態の受信装置の構成を示すブロック図。
【図２】受信装置の動作を示すフローチャート。
【符号の説明】
１　　　ＲＦチューナ（信号処理部）
２　　　デジタル復調部（信号処理部）
３　　　誤り訂正部（信号処理部）
４　　　多重分離部（信号処理部）
５　　　復号部（信号処理部）
７　　　制御部（制御手段、基準変更手段）
８　　　メモリ（記憶手段）
ＳＷ１〜ＳＷ１０　スイッチ（電源供給遮断手段）
【図１】
2004147119.tif 000003
【図２】
2004147119.tif 000004